【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
α，β−不飽和カルボン酸又は酸無水物、或いはそのエステルを、炭化水素モノマー残基を含む樹脂と反応させて、付加体を提供し；
前記付加体を、アルキレンオキシド又はカルボキシル反応性ポリ（アルキレンオキシド）のいずれかと反応させて、界面活性剤を提供し；そして
前記界面活性剤を、リン酸化又はスルホン化のいずれかによって改質して、官能化された界面活性剤を得る
ことを含む、界面活性剤を調製するための方法。
【請求項２】
前記樹脂が、ポリテルペン樹脂、テルペン−フェノール樹脂、テルペン−炭化水素樹脂、テルペン−ビニル芳香族樹脂、炭化水素樹脂、及びビニル芳香族改質炭化水素樹脂からなる群から選択される、請求項１に記載の方法。
【請求項３】
前記α，β−不飽和カルボン酸が、マレイン酸であり、そしてα，β−不飽和カルボン酸無水物が、無水マレイン酸である、請求項１に記載の方法。
【請求項４】
前記樹脂が、約１０℃ないし約１５０℃の軟化点を有するポリテルペン樹脂である、請求項１に記載の方法。
【請求項５】
前記樹脂が、α−ピネン、β−ピネン、リモネン、ジペンテン、β−フェランドレン、δ−３−カレン、及びδ−２−カレンからなる群から独立して選択される一個以上のモノマー残基を含む、請求項１に記載の方法。
【請求項６】
前記樹脂が、イソブチレン、１−アルケン、２−アルケン、三置換アルケン、及びビニルシクロヘキサンからなる群から独立して選択される一個以上のモノマー残基を更に含む、請求項５に記載の方法。
【請求項７】
前記樹脂が、ピペリレン、イソプレン、２−メチル−２−ブテン、２−メチル−１−ブテン、シクロペンテン、環式ペンテン、シクロペンタジエン、及びジシクロペンタジエンからなる群から独立して選択される一個以上のモノマー残基を更に含む、請求項５に記載の方法。
【請求項８】
前記樹脂が、テルペン−フェノール樹脂であり、そしてα−ピネン、β−ピネン、δ−３−カレン及びリモネンからなる群から独立して選択される一個以上のモノマー残基を含む、請求項１に記載の方法。
【請求項９】
前記テルペン−フェノール樹脂が、スチレン、インデン、α−メチルスチレン、アルキル芳香族スチレン、ジビニルベンゼン、一つ又はそれより多いアルキル基を伴うジビニルベンゼン、イソブチレン、ジイソブチレン、１−アルケン、２−アルケン、三置換アルケン、ビニルシクロヘキセン、ピペリレン、イソプレン、２−メチル−２−ブテン、２−メチル−１−ブテン、シクロペンテン、非環式ペンテン、シクロペンタジエン、及びジシクロペンタジエンからなる群から独立して選択される一個以上のモノマー残基を更に含む、請求項８に記載の方法。
【請求項１０】
前記フェノールが、フェノール、一置換フェノール、二置換フェノール、三置換フェノール及びヒドロキシル置換ナフタレン化合物からなる群から独立して選択される、請求項８に記載の方法。
【請求項１１】
前記樹脂が、ピペリレン、イソプレン、２−メチル−２−ブテン、２−メチル−１−ブテン、シクロペンテン、非環式ペンテン、シクロペンタジエン、及びジシクロペンタジエンからなる群から独立して選択される一個以上のモノマー残基を含む、請求項１に記載の方法。
【請求項１２】
前記付加体が、ポリ（エチレングリコール）又は一つより多いポリ（エチレングリコー
ル）の混合物と反応させられる、請求項１に記載の方法。
【請求項１３】
前記付加体が、エチレンオキシドと反応させられる、請求項１に記載の方法。
【請求項１４】
請求項１に記載の界面活性剤。
【請求項１５】
請求項１に記載の界面活性剤及び粘着性付与剤樹脂を含む組成物。
【請求項１６】
請求項１に記載の界面活性剤、粘着性付与剤樹脂、ポリマーラテックス、及び水を含む粘着性組成物。
【請求項１７】
水並びに界面活性剤及び粘着性付与剤樹脂を含む組成物を含む水性分散物であって、
前記界面活性剤は、
α，β−不飽和カルボン酸又は酸無水物、或いはそのエステルを、炭化水素モノマー残基を含む樹脂と反応させて、付加体を提供し；そして
前記付加体を、アルキレンオキシド又はカルボキシル反応性ポリ（アルキレンオキシド）のいずれかと反応させて、界面活性剤を提供する
ことを含む方法により調製されることを特徴とする、前記水性分散物。
【請求項１８】
前記樹脂が、ポリテルペン樹脂、テルペン−フェノール樹脂、テルペン−炭化水素樹脂、テルペン−ビニル芳香族樹脂、炭化水素樹脂、及びビニル芳香族改質炭化水素樹脂からなる群から選択される、請求項１７に記載の水性分散物。
【請求項１９】
前記方法が、前記界面活性剤剤をリン酸化又はスルホン化のいずれかによって改質して、官能化された界面活性剤を得ることを更に含む、請求項１７に記載の水性分散物。
【請求項２０】
前記α，β−不飽和カルボン酸が、マレイン酸であり、そしてα，β−不飽和カルボン酸無水物が、無水マレイン酸である、請求項１７に記載の水性分散物。
【請求項２１】
前記樹脂が、約１０℃ないし約１５０℃の軟化点を有するポリテルペン樹脂である、請求項１７に記載の水性分散物。
【請求項２２】
前記樹脂が、α−ピネン、β−ピネン、リモネン、ジペンテン、β−フェランドレン、δ−３−カレン、及びδ−２−カレンからなる群から独立して選択される一個以上のモノマー残基を含む、請求項１７に記載の水性分散物。
【請求項２３】
前記樹脂が、イソブチレン、１−アルケン、２−アルケン、三置換アルケン、及びビニルシクロヘキサンからなる群から独立して選択される一個以上のモノマー残基を更に含む、請求項２２に記載の水性分散物。
【請求項２４】
前記樹脂が、ピペリレン、イソプレン、２−メチル−２−ブテン、２−メチル−１−ブテン、シクロペンテン、環式ペンテン、シクロペンタジエン、及びジシクロペンタジエンからなる群から独立して選択される一個以上のモノマー残基を更に含む、請求項２２に記載の水性分散物。
【請求項２５】
前記樹脂が、テルペン−フェノール樹脂であり、そしてα−ピネン、β−ピネン、δ−３−カレン及びリモネンからなる群から独立して選択される一個以上のモノマー残基を含む、請求項１７に記載の水性分散物。
【請求項２６】
前記テルペン−フェノール樹脂が、スチレン、インデン、α−メチルスチレン、アルキル芳香族スチレン、ジビニルベンゼン、一つ又はそれより多いアルキル基を伴うジビニルベンゼン、イソブチレン、ジイソブチレン、１−アルケン、２−アルケン、三置換アルケン、ビニルシクロヘキセン、ピペリレン、イソプレン、２−メチル−２−ブテン、２−メチル−１−ブテン、シクロペンテン、非環式ペンテン、シクロペンタジエン、及びジシクロペンタジエンからなる群から独立して選択される一個以上のモノマー残基を更に含む、請求項２５に記載の水性分散物。
【請求項２７】
前記フェノールが、フェノール、一置換フェノール、二置換フェノール、三置換フェノール及びヒドロキシル置換ナフタレン化合物からなる群から独立して選択される、請求項２５に記載の水性分散物。
【請求項２８】
前記樹脂が、ピペリレン、イソプレン、２−メチル−２−ブテン、２−メチル−１−ブテン、シクロペンテン、非環式ペンテン、シクロペンタジエン、及びジシクロペンタジエンからなる群から独立して選択される一個以上のモノマー残基を含む、請求項１７に記載の水性分散物。
【請求項２９】
前記付加体が、ポリ（エチレングリコール）又は一つより多いポリ（エチレングリコー
ル）の混合物と反応させられる、請求項１７に記載の水性分散物。
【請求項３０】
前記付加体が、エチレンオキシドと反応させられる、請求項１７に記載の水性分散物。
【請求項３１】
界面活性剤、粘着性付与剤樹脂、ポリマーラテックス、及び水を含む粘着性組成物であって、
前記界面活性剤が、
α，β−不飽和カルボン酸又は酸無水物、或いはそのエステルを、炭化水素モノマー残基を含む樹脂と反応させて、付加体を提供し；そして
前記付加体を、アルキレンオキシド又はカルボキシル反応性ポリ（アルキレンオキシド）のいずれかと反応させて、界面活性剤を提供する
ことを含む方法により調製されることを特徴とする、前記粘着性組成物。
【請求項３２】
前記樹脂が、ポリテルペン樹脂、テルペン−フェノール樹脂、テルペン−炭化水素樹脂、テルペン−ビニル芳香族樹脂、炭化水素樹脂、及びビニル芳香族改質炭化水素樹脂からなる群から選択される、請求項３１に記載の粘着性組成物。
【請求項３３】
前記方法が、前記界面活性剤剤をリン酸化又はスルホン化のいずれかによって改質して、官能化された界面活性剤を得ることを更に含む、請求項３１に記載の粘着性組成物。
【請求項３４】
前記α，β−不飽和カルボン酸が、マレイン酸であり、そしてα，β−不飽和カルボン酸無水物が、無水マレイン酸である、請求項３１に記載の粘着性組成物。
【請求項３５】
前記樹脂が、約１０℃ないし約１５０℃の軟化点を有するポリテルペン樹脂である、請求項３１に記載の粘着性組成物。
【請求項３６】
前記樹脂が、α−ピネン、β−ピネン、リモネン、ジペンテン、β−フェランドレン、δ−３−カレン、及びδ−２−カレンからなる群から独立して選択される一個以上のモノマー残基を含む、請求項３１に記載の粘着性組成物。
【請求項３７】
前記樹脂が、イソブチレン、１−アルケン、２−アルケン、三置換アルケン、及びビニルシクロヘキサンからなる群から独立して選択される一個以上のモノマー残基を更に含む、請求項３６に記載の粘着性組成物。
【請求項３８】
前記樹脂が、ピペリレン、イソプレン、２−メチル−２−ブテン、２−メチル−１−ブテン、シクロペンテン、環式ペンテン、シクロペンタジエン、及びジシクロペンタジエンからなる群から独立して選択される一個以上のモノマー残基を更に含む、請求項３６に記載の粘着性組成物。
【請求項３９】
前記樹脂が、テルペン−フェノール樹脂であり、そしてα−ピネン、β−ピネン、δ−３−カレン及びリモネンからなる群から独立して選択される一個以上のモノマー残基を含む、請求項３１に記載の粘着性組成物。
【請求項４０】
前記テルペン−フェノール樹脂が、スチレン、インデン、α−メチルスチレン、アルキル芳香族スチレン、ジビニルベンゼン、一つ又はそれより多いアルキル基を伴うジビニルベンゼン、イソブチレン、ジイソブチレン、１−アルケン、２−アルケン、三置換アルケン、ビニルシクロヘキセン、ピペリレン、イソプレン、２−メチル−２−ブテン、２−メチル−１−ブテン、シクロペンテン、非環式ペンテン、シクロペンタジエン、及びジシクロペンタジエンからなる群から独立して選択される一個以上のモノマー残基を更に含む、請求項３９に記載の粘着性組成物。
【請求項４１】
前記フェノールが、フェノール、一置換フェノール、二置換フェノール、三置換フェノール及びヒドロキシル置換ナフタレン化合物からなる群から独立して選択される、請求項３９に記載の粘着性組成物。
【請求項４２】
前記樹脂が、ピペリレン、イソプレン、２−メチル−２−ブテン、２−メチル−１−ブテン、シクロペンテン、非環式ペンテン、シクロペンタジエン、及びジシクロペンタジエンからなる群から独立して選択される一個以上のモノマー残基を含む、請求項３１に記載の粘着性組成物。
【請求項４３】
前記付加体が、ポリ（エチレングリコール）又は一つより多いポリ（エチレングリコー
ル）の混合物と反応させられる、請求項３１に記載の粘着性組成物。
【請求項４４】
前記付加体が、エチレンオキシドと反応させられる、請求項３１に記載の粘着性組成物。
【請求項４５】
粘着性組成物の層を基質の表面に適用し、そして前記層を乾燥することによって調製される、感圧粘着性オーバーレイであって、前記粘着性組成物が、界面活性剤、粘着性付与剤樹脂、ポリマーラテックス、及び水を含み、
前記界面活性剤が、
α，β−不飽和カルボン酸又は酸無水物、或いはそのエステルを、炭化水素モノマー残基を含む樹脂と反応させて、付加体を提供し；そして
前記付加体を、アルキレンオキシド又はカルボキシル反応性ポリ（アルキレンオキシド）のいずれかと反応させて、界面活性剤を提供する
ことを含む方法により調製されることを特徴とする、前記感圧粘着性オーバーレイ。
【請求項４６】
前記樹脂が、ポリテルペン樹脂、テルペン−フェノール樹脂、テルペン−炭化水素樹脂、テルペン−ビニル芳香族樹脂、炭化水素樹脂、及びビニル芳香族改質炭化水素樹脂からなる群から選択される、請求項４５に記載の感圧粘着性オーバーレイ。
【請求項４７】
前記方法が、前記界面活性剤剤をリン酸化又はスルホン化のいずれかによって改質して、官能化された界面活性剤を得ることを更に含む、請求項４５に記載の感圧粘着性オーバーレイ。
【請求項４８】
前記α，β−不飽和カルボン酸が、マレイン酸であり、そしてα，β−不飽和カルボン酸無水物が、無水マレイン酸である、請求項４５に記載の感圧粘着性オーバーレイ。
【請求項４９】
前記樹脂が、約１０℃ないし約１５０℃の軟化点を有するポリテルペン樹脂である、請求項４５に記載の感圧粘着性オーバーレイ。
【請求項５０】
前記樹脂が、α−ピネン、β−ピネン、リモネン、ジペンテン、β−フェランドレン、δ−３−カレン、及びδ−２−カレンからなる群から独立して選択される一個以上のモノマー残基を含む、請求項４５に記載の感圧粘着性オーバーレイ。
【請求項５１】
前記樹脂が、イソブチレン、１−アルケン、２−アルケン、三置換アルケン、及びビニルシクロヘキサンからなる群から独立して選択される一個以上のモノマー残基を更に含む、請求項５０に記載の感圧粘着性オーバーレイ。
【請求項５２】
前記樹脂が、ピペリレン、イソプレン、２−メチル−２−ブテン、２−メチル−１−ブテン、シクロペンテン、環式ペンテン、シクロペンタジエン、及びジシクロペンタジエンからなる群から独立して選択される一個以上のモノマー残基を更に含む、請求項２２に記載の感圧粘着性オーバーレイ。
【請求項５３】
前記樹脂が、テルペン−フェノール樹脂であり、そしてα−ピネン、β−ピネン、δ−３−カレン及びリモネンからなる群から独立して選択される一個以上のモノマー残基を含む、請求項５０に記載の感圧粘着性オーバーレイ。
【請求項５４】
前記テルペン−フェノール樹脂が、スチレン、インデン、α−メチルスチレン、アルキル芳香族スチレン、ジビニルベンゼン、一つ又はそれより多いアルキル基を伴うジビニルベンゼン、イソブチレン、ジイソブチレン、１−アルケン、２−アルケン、三置換アルケン、ビニルシクロヘキセン、ピペリレン、イソプレン、２−メチル−２−ブテン、２−メチル−１−ブテン、シクロペンテン、非環式ペンテン、シクロペンタジエン、及びジシクロペンタジエンからなる群から独立して選択される一個以上のモノマー残基を更に含む、請求項５３に記載の感圧粘着性オーバーレイ。
【請求項５５】
前記フェノールが、フェノール、一置換フェノール、二置換フェノール、三置換フェノール及びヒドロキシル置換ナフタレン化合物からなる群から独立して選択される、請求項５３に記載の感圧粘着性オーバーレイ。
【請求項５６】
前記樹脂が、ピペリレン、イソプレン、２−メチル−２−ブテン、２−メチル−１−ブテン、シクロペンテン、非環式ペンテン、シクロペンタジエン、及びジシクロペンタジエンからなる群から独立して選択される一個以上のモノマー残基を含む、請求項４５に記載の感圧粘着性オーバーレイ。
【請求項５７】
前記付加体が、ポリ（エチレングリコール）又は一つより多いポリ（エチレングリコー
ル）の混合物と反応させられる、請求項４５に記載の感圧粘着性オーバーレイ。
【請求項５８】
前記付加体が、エチレンオキシドと反応させられる、請求項４５に記載の感圧粘着性オーバーレイ。